(57)【特許請求の範囲】
【請求項１】
輪縁（３）、前記輪縁（３）をてん真に連結するアーム（４）、不均衡を調節して慣性モーメントを調整する慣性錘（１１）を含む計時器具ムーブメント用のてんぷであって、前記輪縁（３）が、前記輪縁（３）に固定された内向きのブロック（７）と、前記慣性錘（１１）が内側からねじ込まれる、前記輪縁（３）と前記ブロック（７）とを貫通するねじ穴（９）とを含むことを特徴とするてんぷ。
【請求項２】
前記ブロック（７）が半径方向内向きに向けられていることを特徴とする請求項１に記載のてんぷ。
【請求項３】
前記ブロック（７）が、前記てんぷ輪縁（３）の内面に配置されることを特徴とする請求項１または２に記載のてんぷ。
【請求項４】
前記ブロック（７）が、前記てんぷ輪縁（３）の内面と外面とを接続する面のいずれかに配置されることを特徴とする請求項１または２に記載のてんぷ。
【請求項５】
ねじ幹部（１５）の長さが、前記輪縁（３）の外面から突出することなく、前記ブロック（７）と前記輪縁（３）の幅により画定される前記慣性錘（１１）の最大行程に一致することを特徴とする請求項１ないし４のいずれかに記載のてんぷ。
【請求項６】
前記ブロック（７）が前記アーム（４）間に配置されることを特徴とする請求項１ないし５のいずれかに記載のてんぷ。
【請求項７】
前記ブロック（７）が、上記アーム（４）中に設けられた凹みの中に配置されることを特徴とする請求項１ないし５のいずれかに記載のてんぷ。
【発明の詳細な説明】
【技術分野】
【０００１】
本発明は、てんぷスプリングと結合されて、計時器具、特に腕時計の基準振動数を決定する機械式振動器を従来のやり方で形成する計時器具ムーブメント用の、輪縁とその輪縁を心軸に連結するアームとを含むてんぷに関するものである。
【背景技術】
【０００２】
一般に、腕時計ムーブメント用のてんぷは、輪縁（または、リム）、アーム、或る配置構成の慣性錘（慣性ブロック）を含む車輪形の部品から成っている。これらの慣性錘は、このてんぷの輪縁に取り付けられ、また、それらの慣性錘の位置を調整することで、てんぷの不均衡と慣性モーメントを修正できるようにしている。
【０００３】
スプリング付きてんぷ振動器の振動数ｆは、次式の関係により与えられる。
１／ｆ＝２π（Ｉ／Ｍ）0.5
ここで、Ｉは、このてんぷの回転軸線の周りの慣性モーメントであり、また、Ｍは、このてんぷスプリングの弾性偶力であって、Ｎｍ／ｒａｄで表される。腕時計振動器の通常の振動数は、０．５Ｈｚ刻みで２．５Ｈｚから５Ｈｚまでであって、１秒の持続時間が、整数の振動器振動数に対応するようにしている。したがって、ムーブメントは、所与の振動数に対して設計されている。また、スプリング付きてんぷアセンブリは、その振動数を持たなければならない。上記の式では、てんぷの関連するパラメータは、慣性モーメントであることが理解できるであろう。上記アームの役割が、その慣性モーメントにおいて非常に制限されているから、この慣性モーメントは、何よりもまず、この輪縁と、その輪縁に連結された要素の寸法（直径と断面積）と密度によって決まる。
【０００４】
ときには、計時器具ムーブメントの設計者は、例えば美的感覚の理由で、直径が比較的に大きいてんぷを使用したいと思うことがある。てんぷの断面積を減らすか、あるいは、さらに密度の小さい材料を使用すれば、慣性モーメントを変更せずに直径を大きくすることができる。双方の場合に、このてんぷは、さらに小さい質量を持つことになり、これにより、軸受の摩擦が減らされ、したがって、このてんぷの等時運動に対する妨害は、このムーブメントの位置（垂直位置と水平位置）によって決まる。しかし、断面積を減らした輪縁は、特にそれが調整慣性錘を担持しなければならない場合に、弱すぎることがある。
【発明の開示】
【発明が解決しようとする課題】
【０００５】
本発明の目的は、上記の欠点を回避しながら、通常のものよりも大きい直径を持つか、通常の振動器と同一の振動数では輪縁の外側輪郭が制限されるか、あるいは、通常の振動器と同一寸法でさらに高い振動数を持つスプリング付きてんぷ振動器を実現することである。
【０００６】
さらに、本発明の目的は、所与のてんぷ慣性に対して適合させた腕時計の時刻測定性能を向上させるために、質量の減らされたてんぷを提供することである。
【課題を解決するための手段】
【０００７】
したがって、本発明によるてんぷは、その輪縁が、内向きのブロック（植込み軸）と、上記輪縁と上記ブロックを貫通するねじ穴とを含み、しかも、内側から上記ねじ穴にねじ込まれる慣性錘（慣性ブロック）が、輪縁の外面から上記慣性錘の端部が突出しないようなねじ部の長さを持っていることを特徴としている。これらのブロックと慣性錘は、その輪縁の内面から突出しており、好ましくは、その輪縁の内側に一定間隔で配置される。これらのブロックは、上記アームの間か、あるいは、上記アームと輪縁との連接個所に設けられた凹みの中に位置づけられることもある。
【発明を実施するための最良の形態】
【０００８】
以下の添付図面を参照して、限定しない例として与えられた腕時計ムーブメント用のてんぷの一実施形態の下記説明において、本発明の他の特色が明らかになるであろう。
【０００９】
図１と図２に示されるてんぷ１は、輪縁３と、例えば輪縁３と一体となった４本のアーム４とを含むてん輪から成っている。アーム４は、てん真（図示されてない）上に通される中心穴部分５から放射状に延びている。見てわかるように、輪縁３の内面３ａはブロック７（植込み軸７）を含む。ブロック７は、この例では、アーム４間に、一定間隔で配置されている。当業者であれば、これらのブロック７の他のどんな配置も想定できることに留意されたい。これらのブロック７は、輪縁３と一体となっているか、あるいは、当業者に知られている任意の手段により、例えば溶接、ねじなどにより付け加えられる要素であってもよい。これらのブロック７が付け加えられる場合には、これらのブロック７と輪縁３を異なる材料で作ることも可能である。例えば、質量をさらに極力軽くするために、輪縁３を、ＣｕＢｅで作り、またブロック７をチタンで作ることもできる。ねじ穴９は、輪縁３とブロック７を貫通している。ねじ穴９は、輪縁３の内側から慣性錘１１（慣性ブロック１１）をねじ込むように設けられている。慣性錘１１を、矢印で示されるように半径方向に動かせば、その不均衡と慣性モーメントとを調整することができる。これらの慣性錘１１はねじで形成されている。このねじの頭部は、好ましくは、容易に操作できるようにぎざぎざ付き部分１３を持ち、また、このねじのねじ幹部１５は、最大慣性モーメント（このねじを完全に締め付けた状態で）でも、ねじ幹部１５の端が、輪縁３の外面から突出しないような長さを持っている。図示されてない変形例により、ブロック７は、上記アーム上に設けられた凹みの中に配置されてもよい。
【００１０】
これまで述べられてきた説明から、当業者は、併記の特許請求の範囲により定められた本発明の範囲から逸脱することなく、てんぷの複数の変形例を案出することができる。例えば、一変形例により、ブロック７は、それらが輪縁３の外周から突出しないという条件で、輪縁３の内面３ａではなく、輪縁３の２つの前面３ｂのいずれかに配置することもできる。
【図面の簡単な説明】
【００１１】
【図１】このてんぷの斜視図である。
【図２】慣性錘の拡大図である。
【符号の説明】
【００１２】
３…輪縁、４…アーム、７…ブロック、９…ねじ穴、１１…慣性錘
【図１】
0005324049.tif 000002
【図２】
0005324049.tif 000003